(57)【特許請求の範囲】
【請求項１】
上下フランジ及びウェブを有するＩ形鉄骨梁の下フランジの下面を露出させた状態で、下フランジから上フランジの近くまでの空間を梁コンクリートで充填すると共に、上フランジをその上側及び下側に配したスラブ上端筋及びスラブ下端筋と共に床スラブコンクリート中に埋設し、スラブ下端筋の端部を上フランジの下側の床スラブコンクリート中に定着させた構成となっており、前記梁コンクリートは、前記床スラブコンクリートの下方の一定部分の幅寸法が、前記床スラブコンクリートに近づくに従って漸次拡大するように設けられ、
一端部および他端部が折り曲げられてコ字状に形成された折り曲げ鉄筋のうち、前記一端部を、前記ウェブの一方の側面近くの位置に配置し、該一端部と連続する中央部を、前記上フランジの上側を巡るように配置し、さらに、該中央部と連続する他端部を、前記ウェブの他方の側面近くの位置に至るように配置し、
前記一端部および他端部を前記梁コンクリート内に定着し、前記中央部を前記床スラブコンクリート内に埋設したことを特徴とする合成梁構造。
【請求項２】
上下フランジ及びウェブを有するＩ形鉄骨梁の下フランジの下面を露出させた状態で、下フランジから上フランジの近くまでの空間を梁コンクリートで充填すると共に、上フランジをその上側及び下側に配したスラブ上端筋及びスラブ下端筋と共に床スラブコンクリート中に埋設し、スラブ下端筋の端部を上フランジの下側の床スラブコンクリート中に定着させた構成となっており、前記上フランジは、前記下フランジに比較してその幅寸法が小とされ、
一端部および他端部が折り曲げられてコ字状に形成された折り曲げ鉄筋のうち、前記一端部を、前記ウェブの一方の側面近くの位置に配置し、該一端部と連続する中央部を、前記上フランジの上側を巡るように配置し、さらに、該中央部と連続する他端部を、前記ウェブの他方の側面近くの位置に至るように配置し、
前記一端部および他端部を前記梁コンクリート内に定着し、前記中央部を前記床スラブコンクリート内に埋設したことを特徴とする合成梁構造。
【請求項３】
請求項２記載の合成梁構造であって、前記上フランジは、その厚さ寸法が前記下フランジに比較して大とされていることを特徴とする合成梁構造。
【請求項４】
請求項１，２または３記載の合成梁構造であって、前記折り曲げ鉄筋を前記Ｉ形梁鉄骨の延在方向に複数配置し、これら折り曲げ鉄筋の一端部および他端部と交差するように複数の補強筋を配置することにより、前記ウェブの両側方に、前記一端部および他端部と前記補強筋とからなるメッシュ補強体を形成し、このメッシュ補強体を前記梁コンクリートに埋設したことを特徴とする合成梁構造。
【発明の詳細な説明】
【０００１】
【発明の属する技術分野】
本発明は、Ｉ形鉄骨（Ｈ形鉄骨も含む）梁を中心に構成された合成梁構造に係り、特に床スラブとの一体化を図った合成梁構造に関する。
【０００２】
【従来の技術】
Ｉ形鉄骨梁と床スラブの一体化を図った構造として、特開平５−８６６７４号公報や特開平１１−１６６２９４号公報に記載のものが知られている。
【０００３】
図１５は前者の公報に記載の構造を示すもので、１はＩ形鉄骨梁である。このＩ形鉄骨梁１は、上下フランジ１ａ、１ｂと、それらをつなぐウェブ１ｃとからなる。図示例の構造は、Ｉ形鉄骨梁１に型枠（図示略）を設けると共に、この型枠に床版１０１を設け、床版１０１上に床スラブコンクリート１０２を打設する際に、Ｉ形鉄骨梁１の上下フランジ１ａ、１ｂ間の空間にも同時に梁コンクリート１０３を打設して、Ｉ形鉄骨梁１を中心とした合成梁１０４と床スラブ１０５とを一体化することで、Ｉ形鉄骨梁１の横座屈に対する変形性能を向上させ、Ｉ形鉄骨梁１に発生するおそれのある局部座屈を防止するようにしたものである。
【０００４】
図１６は後者の公報に記載の構造を示すもので、１１０は予め工場製作された合成梁である。この合成梁１１０は、上下フランジ１ａ、１ｂ及びウェブ１ｃよりなるＩ形鉄骨梁１を、上フランジ１ａ及びこの上フランジ１ａ寄りのウェブ１ｃ部分を残してコンクリートブロック１１１中に埋設し、ウェブ１ｃのコンクリートブロック１１１上への露出部分に、ウェブ１ｃの延在方向に間隔をおいて貫通孔１１２を複数形成したものである。
【０００５】
図示例の構造は、この合成梁１１０における露出部分の下方でコンクリートブロック１１１の上部に床型枠（図示略）を設置し、上フランジ１ａの上側と下側にスラブ上端筋５と下端筋６を配すると共に、スラブ下端筋６をウェブ１ｃの貫通孔１１２に通し、その上で床型枠上に床スラブコンクリート１１３を打設することにより、合成梁１１０と床スラブ１１４とを一体化したものである。
【０００６】
【発明が解決しようとする課題】
ところで、図１５の構造は、Ｉ形鉄骨梁１の上フランジ１ａの上側と下側に配筋を施していない上、上フランジ１ａを完全に床スラブコンクリート１０２中に埋没させていないので、床スラブ１０５の厚さが薄い場合に、床スラブ１０５と合成梁１０４の一体性が弱まるおそれがある。また、この構造では、床スラブコンクリート１０２を打設する際に下フランジ１ｂから上フランジ１ａ近くまでの空間に梁コンクリート１０３を打設することとなるために、梁コンクリート１０３の充填性（打ち込みおよび締固め）が困難となる。
【０００７】
その点、図１６の構造は、Ｉ形鉄骨梁１の上フランジ１ａの上側と下側にスラブ上端筋５と下端筋６を設置し、上フランジ１ａを完全に床スラブコンクリート１１３中に埋没させているので、床スラブ１１４の厚さが薄い場合にも、床スラブ１１４と合成梁１１０の一体性を確保することができる。また、あらかじめコンクリートブロック１１１として形成された合成梁１１０におけるコンクリートの充填性に問題が生じることもない。
【０００８】
しかしながら、この構造の場合、ウェブ１ｃの貫通孔１１２にスラブ下端筋６を貫通させるようにしているので、スラブ厚を変える場合に、それに応じてスラブ下端筋６の配筋位置を変えることができない。つまり、スラブ厚の変化に柔軟に対応することができないおそれがある。また、Ｉ形鉄骨梁１の下フランジ１ｂが完全にコンクリートブロック１１１中に埋没しているので、この下フランジ１ｂを利用しての型枠の組立が困難である。さらに、コンクリートブロック１１１と後打設された床スラブコンクリート１１３との一体性、特に、地震時等において一体として挙動するか否かについても不安がある。
【０００９】
本発明は、上記事情を考慮し、床スラブとの一体性を高めることができると共に、スラブ厚の変化に柔軟に対応することができ、また、コンクリート打設のための型枠組立が容易にできるとともに、梁コンクリートの充填性に問題が無く、しかも、梁コンクリートおよび床スラブコンクリートの一体性に優れた合成梁構造を提供することを目的とする。
【００１０】
【課題を解決するための手段】
請求項１記載の発明は、上下フランジ及びウェブを有するＩ形鉄骨梁の下フランジの下面を露出させた状態で、下フランジから上フランジの近くまでの空間を梁コンクリートで充填すると共に、上フランジをその上側及び下側に配したスラブ上端筋及びスラブ下端筋と共に床スラブコンクリート中に埋設し、スラブ下端筋の端部を上フランジの下側の床スラブコンクリート中に定着させた構成となっており、前記梁コンクリートは、前記床スラブコンクリートの下方の一定部分の幅寸法が、前記床スラブコンクリートに近づくに従って漸次拡大するように設けられ、一端部および他端部が折り曲げられてコ字状に形成された折り曲げ鉄筋のうち、前記一端部を、前記ウェブの一方の側面近くの位置に配置し、該一端部と連続する中央部を、前記上フランジの上側を巡るように配置し、さらに、該中央部と連続する他端部を、前記ウェブの他方の側面近くの位置に至るように配置し、前記一端部および他端部を前記梁コンクリート内に定着し、前記中央部を前記床スラブコンクリート内に埋設したことを特徴とする。
【００１１】
また、請求項２記載の発明は、上下フランジ及びウェブを有するＩ形鉄骨梁の下フランジの下面を露出させた状態で、下フランジから上フランジの近くまでの空間を梁コンクリートで充填すると共に、上フランジをその上側及び下側に配したスラブ上端筋及びスラブ下端筋と共に床スラブコンクリート中に埋設し、スラブ下端筋の端部を上フランジの下側の床スラブコンクリート中に定着させた構成となっており、前記上フランジは、前記下フランジに比較してその幅寸法が小とされ、一端部および他端部が折り曲げられてコ字状に形成された折り曲げ鉄筋のうち、前記一端部を、前記ウェブの一方の側面近くの位置に配置し、該一端部と連続する中央部を、前記上フランジの上側を巡るように配置し、さらに、該中央部と連続する他端部を、前記ウェブの他方の側面近くの位置に至るように配置し、前記一端部および他端部を前記梁コンクリート内に定着し、前記中央部を前記床スラブコンクリート内に埋設したことを特徴とする。
【００１２】
この発明の合成梁構造では、Ｉ形鉄骨梁の下フランジから上フランジの近くまでの空間を梁コンクリートで充填すると共に、上フランジの上側と下側にスラブ上端筋と下端筋を配し、上フランジをこれらスラブ上端筋及び下端筋と共に床スラブコンクリート中に埋設しているので、床スラブと合成梁の一体性を高めることができる。また、Ｉ形鉄骨梁の下フランジの下面を露出させているので、下フランジを利用してコンクリート打設のための型枠を組み立てることができる。また、スラブ下端筋の端部は上フランジの下側の床スラブコンクリート中に定着させているだけであるから、要求されるスラブ厚に応じてスラブ下端筋の配筋位置を自由に変えることができ、柔軟にスラブ厚の変更に対応することができる。しかも、請求項１においては、梁コンクリートの幅寸法が床スラブコンクリート近くで拡大しており、また、請求項２においては、上フランジの幅寸法が小さくなっているので、床スラブコンクリートと梁コンクリートとを一体打設した際に、特に上フランジ近くの位置における梁コンクリートの充填性を確保しやすい。
また、いずれの場合も、一端部および他端部が折り曲げられてコ字状に形成された折り曲げ鉄筋のうち、前記一端部を、前記ウェブの一方の側面近くの位置に配置し、該一端部と連続する中央部を、前記上フランジの上側を巡るように配置し、さらに、該中央部と連続する他端部を、前記ウェブの他方の側面近くの位置に至るように配置し、前記一端部および他端部を前記梁コンクリート内に定着し、前記中央部を前記床スラブコンクリート内に埋設しているので、折り曲げ鉄筋によって梁コンクリートおよび床スラブコンクリートが一体化される。
【００１３】
請求項３の発明は、請求項２記載の合成梁構造において、上フランジの厚さ寸法が前記下フランジに比較して大とされていることを特徴としている。これにより上フランジの断面積を確保し、十分な強度が発揮されるようにしている。
【００１６】
また、請求項４の発明は、請求項１，２または３記載の合成梁構造において、折り曲げ鉄筋を前記Ｉ形梁鉄骨の延在方向に複数配置し、これら折り曲げ鉄筋の一端部および他端部と交差するように複数の補強筋を配置することにより、前記ウェブの両側方に、前記一端部および他端部と前記補強筋とからなるメッシュ補強体を形成し、このメッシュ補強体を前記梁コンクリートに埋設したことを特徴としている。
【００１７】
これにより梁コンクリートをメッシュ補強体によって強固に補強することができる。
【００１８】
【発明の実施の形態】
以下、本発明の実施の形態を図面に基づいて説明する。なお、以下で説明する第一の実施の形態（図１〜図２）と、第三の実施の形態（図８〜図９）は、本発明の基本構成を説明するもので厳密には本発明の実施の形態ではないが、以下の説明では便宜的に本発明の実施の形態と称して説明する。
図１は、本発明の第一の実施の形態である合成梁構造１１の完成状態の立断面図である。
この合成梁構造１１は、上下フランジ１ａ、１ｂ及びウェブ１ｃを有するＩ形鉄骨梁１の下フランジ１ｂの下面を露出させた状態で、下フランジ１ｂから上フランジ１ａの近くまでの空間を梁コンクリート１２で充填すると共に、上フランジ１ａを、その上側及び下側に配したスラブ上端筋５及びスラブ下端筋６と共に床スラブコンクリート１３中に埋設し、スラブ下端筋６の端部を上フランジ１ａの下側の床スラブコンクリート１３中に定着させたものである。
【００１９】
また、この合成梁構造１１では、梁コンクリート１２のうち、床スラブコンクリート１３の下方の一定部分が、幅寸法が拡大されて構成されており、これにより、梁コンクリート１２のうち、床スラブコンクリート１３に接する一部がハンチ１２ａとして形成された構成となっている。
【００２０】
この構造を得るには、まず、図２のように、Ｉ形鉄骨梁１の下フランジ１ｂを利用して、下フランジ１ｂの幅方向外縁から上フランジ１ａの幅方向外縁の近傍位置までウェブ１ｃと平行に梁型枠１５を設ける。この場合、梁型枠１５としては、例えば図示のように、ハンチ１２ａに対応した上端部１５ａがＩ形鉄骨梁１の側方に向けて折り曲げられたものを用いる。また、これと同時に、梁型枠１５の上端部１５ａに床型枠１６を設ける。この際、床型枠１６の上面が、上フランジ１ａの下側に間隔をおいて位置するように設定する。また、上フランジ１ａの上側にスラブ上端筋５を配筋すると共に、上フランジ１ｂの下側にスラブ下端筋６を配筋する。ここで、スラブ下端筋６の端部は、単にウェブ１ｃの近傍まで接近させるだけにしておく。
【００２１】
次いで、梁型枠１５の内側の空間と床型枠１６の上側の空間にコンクリートＣを打設し、梁型枠１５および床型枠１６を脱型することにより、図１に示すような、床スラブ３と合成梁２が一体化した合成梁構造１１が出来上がる。この場合、床スラブ３の上面３ａは上フランジ１ａの上側に位置し、床スラブ３の下面３ｂは上フランジ１ａの下側に位置する。
【００２２】
このような構成の合成梁構造１１では、上フランジ１ｃの上側と下側にスラブ上端筋５と下端筋６が配されており、上フランジ１ａがこれらスラブ上端筋５及び下端筋６と共に床スラブコンクリート１３の中に埋設されているので、床スラブ３と合成梁２の一体性が高い。しかも、上下フランジ１ａ、１ｂ間の空間には梁コンクリート１２が充填されているので、耐火性能が高い上に、梁の剛性及び横座屈性能が高い。
【００２３】
また、スラブ下端筋６の端部は、単に上フランジ１ａの下側の床スラブコンクリート１３中に定着させているだけであるから、要求されるスラブ厚Ｔに応じて、スラブ下端筋６の配筋位置を自由に変えることができる。この場合、スラブ下端筋６及び床型枠２２を上下させることにより、階高と梁高さＨを一定とした状態でスラブ厚Ｔを変えることができる。
【００２４】
しかも、梁コンクリート１２の一部がハンチ１２ａとして形成されることにより、梁コンクリート１２の幅寸法が床スラブコンクリート１３近くで拡大するため、床スラブコンクリート１３と梁コンクリート１２とを一体打設する際に、特に上フランジ１ａ近くの位置における梁コンクリート１２の充填性を確保しやすい。これによって、施工性が向上するとともに、梁の剛性および横座屈性能を確保することができる。
【００２５】
なお、図３に示す本発明の第二の実施の形態の合成梁構造１７のように、折り曲げ鉄筋１８をＩ形鉄骨梁１の上側および両側方を囲むように配置し、これを床スラブコンクリート１３と梁コンクリート１２とを一体化するのに用いてもよい。この場合、折り曲げ鉄筋１８としては、一端部１８ａおよび他端部１８ｂが折り曲げられてコ字状に形成されたものを用いて、折り曲げ鉄筋１８の一端部１８ａをウェブ１ｃの一方の側面近くに配置し、一端部１８ａと連続する中央部１８ｃを上フランジ１ａの上側を巡るように配置する。そして、中央部１８ｃに連続する他端部１８ｂをウェブ１ｃの他方の側面近くに至るように配置する。さらに、折り曲げ鉄筋１８の一端部１８ａおよび他端部１８ｂを梁コンクリート１２内に定着し、中央部１８ｃを床スラブコンクリート１３内に定着させる。これにより、梁コンクリート１２および床スラブコンクリート１３を折り曲げ鉄筋１８により一体化することができ、地震時等における構造安定性を確保することができる。
【００２６】
この場合、図３，４に示すように、折り曲げ鉄筋１８の折り曲げ部１８ｄ，１８ｄを、Ｉ形鉄骨梁１に沿って上フランジ１ａの上側に配置された一対のスラブ補強筋１９，１９に定着させた状態で配置すると、折り曲げ鉄筋１８の位置決めが容易となり、特に、図４のように折り曲げ鉄筋１８をＩ形鉄骨梁１の延在方向に沿って複数設置するような場合の施工性がよい。また、図４の構造に対して、折り曲げ鉄筋１８の一端部１８ａおよび他端部１８ｂに対して交差するように補強筋２０を配置することによって、図５のように、折り曲げ鉄筋の一端部１８ａおよび他端部１８ｂと補強筋２０とからなるメッシュ補強体２１を形成してもよい。このメッシュ補強体２１を、梁コンクリート１２に埋設するようにすれば、梁コンクリート１２を強固に補強することができ、その剥落を防止することができる。
【００２７】
また、Ｉ形鉄骨梁１と他の部材の接合部についても、溶接や高力ボルト等による梁の接合後に、床スラブコンクリート１３の打設と同時に接合部にコンクリートＣを充填する方法で容易に施工することができる。
【００２８】
図６は、合成梁構造１７と角形鋼管柱２３のト字形柱梁接合部の例を示している。この例では、Ｉ形鉄骨梁１の端部を角形鋼管柱２３から突出するブラケット２４に溶接や高力ボルト等によって接合した後、型枠を組み立てて、このブラケット２４とＩ形鉄骨梁１とに対してコンクリートＣを打設している。
【００２９】
図７は合成梁構造１７と円形鋼管柱２５の十字型柱梁接合部の例を示している。ここでは、Ｉ形鉄骨梁１の端部を円形鋼管柱２３に溶接や高力ボルト等によって接合した後、型枠を組み立ててコンクリートＣを打設している。
【００３０】
また、梁コンクリート１２の充填性を高めるためには、必ずしも、第一および第二の実施の形態における合成梁構造１１，１７のようなハンチ１２ａを設ける必要はなく、図８に示す第三の実施の形態のような構造を採用してもよい。
【００３１】
図８は、本発明の第三の実施の形態である合成梁構造２７の立断面図である。
この合成梁構造２７は、図１に示した合成梁構造１１とほぼ同一のものであるが、合成梁構造１１のようなハンチ１２ａが設けられていない点、および、Ｉ形鉄骨梁１’における上フランジ１ａ’の幅寸法Ｗａが下フランジ１ｂの幅寸法Ｗｂに比較して小とされている点が合成梁構造１１と異なっている。ここで、上フランジ１ａ’の厚さ寸法Ｄａは、下フランジ１ｂの厚さ寸法Ｄｂに比較して大とされている。
【００３２】
この構造を得るには、まず、図９のように、Ｉ形鉄骨梁１の下フランジ１ｂを利用して、下フランジ１ｂの幅方向外縁から上フランジ１ａ’の幅方向外縁の近傍位置までウェブ１ｃと平行に梁型枠２８を設ける。同時に、梁型枠２８の上端部２８ａに床型枠２９を設ける。次いで、梁型枠２８の内側の空間と床型枠２９の上側の空間にコンクリートＣを打設することにより、図８に示したような合成梁構造２７が出来上がる。
【００３３】
このような構成の合成梁構造２７は、上フランジ１ａ’の幅寸法Ｗａが、下フランジ１ｂの幅寸法Ｗｂに比較して小とされているために、梁コンクリート１２の充填口となる梁型枠２８および床型枠２９と上フランジ１ａ’の端部との空間が拡大することとなり、梁コンクリート１２の充填性を確保しやすい。したがって、施工性がよいだけでなく、合成梁構造２７形成時における梁の剛性および横座屈性能を確保することができ、上記第一の実施の形態と同様の効果を得ることができる。また、この場合、上フランジ１ａ’の厚さ寸法Ｄａを下フランジ１ｂの厚さ寸法Ｄｂに比較して大としたので、上フランジ１ａ’の断面積を確保することができ、上フランジ１ａ’の強度が低下することが無く、構造安定性を確保できる。
【００３４】
なおこの場合、図１０に示す本発明の第四の実施の形態の合成梁構造３１のように、折り曲げ鉄筋３２をＩ形鉄骨梁１’の上側および両側方を囲むように配置し、これを床スラブコンクリート１３と梁コンクリート１２とを一体化するのに用いてもよい。この場合、折り曲げ鉄筋３２としては、一端部３２ａおよび他端部３２ｂが折り曲げられてコ字状に形成されるとともに、一端部３２ａと他端部３２ｂとの間の中央部３２ｃの長さ寸法が、上フランジ１ａ’の幅寸法Ｗａと略同一のものを用いるようにする。そして、折り曲げ鉄筋３２の一端部３２ａをウェブ１ｃの一方の側面近くに配置し、中央部３２ｃを上フランジ１ａ’の上側を巡るように配置し、他端部３２ｂをウェブ１ｃの他方の側面近くに至るように配置する。さらに、折り曲げ鉄筋３２の一端部３２ａおよび他端部３２ｂを梁コンクリート１２内に定着し、中央部３２ｃを床スラブコンクリート１３内に定着させる。これにより、梁コンクリート１２および床スラブコンクリート１３を折り曲げ鉄筋３２により一体化することができ、地震時等における構造安定性を確保することができる。
【００３５】
この場合、図１０，１１に示すように、折り曲げ鉄筋３２の折り曲げ部３２ｄ，３２ｄを、Ｉ形鉄骨梁１’に沿って上フランジ１ａ’の上側に配置された一対のスラブ補強筋１９，１９に定着させた状態で配置すると、折り曲げ鉄筋３２の位置決めが容易となり、特に、図１１のように折り曲げ鉄筋３２をＩ形鉄骨梁１’の延在方向に沿って複数設置するような場合の施工性がよい。また、図１１の構造に対して、折り曲げ鉄筋３２の一端部３２ａおよび他端部３２ｂに対して交差するように補強筋２０を配置することによって、図１２のように、折り曲げ鉄筋の一端部３２ａおよび他端部３２ｂと補強筋２０とからなるメッシュ補強体３３を形成してもよい。このメッシュ補強体３３を、梁コンクリート１２に埋設するようにすれば、梁コンクリート１２を強固に補強することができ、その剥落を防止することができる。
【００３６】
また、Ｉ形鉄骨梁１’と他の部材の接合部についても、溶接や高力ボルト等による梁の接合後に、床スラブコンクリート１３の打設と同時に接合部にコンクリートＣを充填する方法で容易に施工することができる。
【００３７】
図１３は、合成梁構造３１と角形鋼管柱２３のト字形柱梁接合部の例を示している。この例では、Ｉ形鉄骨梁１’の端部を角形鋼管柱２３から突出する図示しないブラケット２４’に溶接や高力ボルト等によって接合した後、型枠を組み立てて、このブラケット２４’とＩ形鉄骨梁１’とに対してコンクリートＣを打設している。この場合、ブラケット２４’としては、Ｉ形鉄骨梁１’と同一断面を有するものを用いる。
【００３８】
図１４は合成梁構造３１と円形鋼管柱２５の十字型柱梁接合部の例を示している。ここでは、Ｉ形鉄骨梁１の端部を円形鋼管柱２５に溶接や高力ボルト等によって接合した後、型枠を組み立ててコンクリートＣを打設している。
【００３９】
なお、上記第一から第四の実施の形態において、梁型枠や床型枠に捨て型枠を使用してもよい。また、上記第一から第四の実施の形態では、梁コンクリート１２と床スラブコンクリート１３とを一緒に打設する場合を説明したが、予め梁コンクリート１１を打設しておいてから、床スラブコンクリート１３を打設するようにしてもよい。
【００４０】
【発明の効果】
以上説明したように、請求項１および２の発明によれば、Ｉ形鉄骨梁の上フランジをスラブ上端筋及び下端筋と共に床スラブコンクリート中に埋設しているので、床スラブとの一体性を高めることができる。また、下フランジの下面を露出させているので、下フランジを利用してコンクリート打設のための型枠組立が容易にできる。また、スラブ下端筋の端部を上フランジの下側の床スラブコンクリート中に定着させているので、スラブ下端筋の配筋位置を自由に変えることができ、スラブ厚の変更に柔軟に対応することができる。さらに、梁コンクリートの上フランジ近傍における充填性がよいので、梁の剛性および横座屈性能を確保することができ、安定した構造を実現できる。
また、いずれも折り曲げ鉄筋によって梁コンクリートおよび床スラブコンクリートが一体化され、地震時等における構造安定性を確保することができる。
【００４１】
請求項３の発明によれば、上フランジの厚さ寸法下フランジに比較して大とされているために、上フランジの断面積を確保することができ、上フランジの強度が低下することが無く、構造安定性を確保できる。
【００４３】
請求項４の発明によれば、梁コンクリートをメッシュ補強体によって強固に補強することができるから梁コンクリートの剥落が防止される。
【図面の簡単な説明】
【図１】   本発明の第一の実施の形態を模式的に示す合成梁構造の立断面図である。
【図２】   図１に示した合成梁構造を形成する際の状況を示す立断面図である。
【図３】   本発明の第二の実施の形態を模式的に示す合成梁構造の立断面図である。
【図４】   図３に示した合成梁構造における折り曲げ鉄筋の配置状況を表す斜視図である。
【図５】   同、他の例を示す斜視図である。
【図６】   本発明の第二の実施の形態の合成梁構造と角形鋼管柱のト型柱梁接合部の例を示す立断面図である。
【図７】   本発明の第二の実施の形態の合成梁構造と円形鋼管柱の十字型柱梁接合部の例を示す立断面図である。
【図８】   本発明の第三の実施の形態を模式的に示す合成梁構造の立断面図である。
【図９】   図８に示した合成梁構造を形成する際の状況を示す立断面図である。
【図１０】   本発明の第四の実施の形態を模式的に示す合成梁構造の立断面図である。
【図１１】   図１０に示した合成梁構造における折り曲げ鉄筋の配置状況を表す斜視図である。
【図１２】   同、他の例を示す斜視図である。
【図１３】   本発明の第四の実施の形態の合成梁構造と角形鋼管柱のト型柱梁接合部の例を示す立断面図である。
【図１４】   本発明の第四の実施の形態の合成梁構造と円形鋼管柱の十字型柱梁接合部の例を示す立断面図である。
【図１５】   本発明の従来の技術を模式的に示す立断面図である。
【図１６】   本発明の従来の技術の他の例を模式的に示す立断面図である。
【符号の説明】
１，１’  Ｉ形鉄骨梁
１ａ，１ａ’  上フランジ
１ｂ  下フランジ
１ｃ  ウェブ
２  合成梁
３  床スラブ
５  スラブ上端筋
６  スラブ下端筋
１１，１７，２７，３１  合成梁構造
１２  梁コンクリート
１３  床スラブコンクリート
１８，３２  折り曲げ鉄筋
１８ａ，３２ａ  一端部
１８ｂ，３２ｂ  他端部
１８ｃ，３２ｃ  中央部
２１，３３  メッシュ補強体
Ｃ  コンクリート
【図１】
0004340947.tif 000002
【図２】
0004340947.tif 000003
【図３】
0004340947.tif 000004
【図４】
0004340947.tif 000005
【図５】
0004340947.tif 000006
【図６】
0004340947.tif 000007
【図７】
0004340947.tif 000008
【図８】
0004340947.tif 000009
【図９】
0004340947.tif 000010
【図１０】
0004340947.tif 000011
【図１１】
0004340947.tif 000012
【図１２】
0004340947.tif 000013
【図１３】
0004340947.tif 000014
【図１４】
0004340947.tif 000015
【図１５】
0004340947.tif 000016
【図１６】
0004340947.tif 000017